(57)【要約】【課題】駆動装置と給電装置が分離して設置された乳幼児用ブランコを提供する。【解決手段】乳幼児用ブランコは、サポートフレームと、ホールドフレームと、駆動装置と、給電装置とを含む。サポートフレームは第一連結部と、第二連結部と、脚部アセンブリとを含む。脚部アセンブリの両端は第一連結部と第二連結部にそれぞれ連結される。ホールドフレームは第一連結部と第二連結部に枢結される。駆動装置は第一連結部に設けられ、サポートフレームに対して揺動するようにホールドフレームを駆動する。乳幼児用ブランコは、給電装置が駆動装置と電気的に接続されるように脚部アセンブリに設けられ、ホールドフレームの駆動に必要な電力を駆動装置に提供するのを特徴とする。【選択図】図１
2010063890.tif 000002
【特許請求の範囲】
【請求項１】
乳幼児用ブランコであって、サポートフレームと、ホールドフレームと、駆動装置と、  給電装置とを含み、前記サポートフレームは第一連結部と、第二連結部と、脚部アセンブリとを含み、前記脚部アセンブリの両端は前記第一連結部と前記第二連結部にそれぞれ連結され、前記ホールドフレームは前記第一連結部と前記第二連結部に枢結され、前記駆動装置は前記第一連結部に設けられ、前記サポートフレームに対して揺動するように前記ホールドフレームを駆動し、前記乳幼児用ブランコは、前記給電装置が前記駆動装置と電気的に接続されるように前記脚部アセンブリに設けられ、前記ホールドフレームの駆動に必要な電力を前記駆動装置に提供するのを特徴とする、乳幼児用ブランコ。
【請求項２】
前記脚部アセンブリは２本の脚部を含み、前記２本の脚部の両端は前記第一連結部と前記第二連結部にそれぞれ連結され、共同で前記ホールドフレームを載置平面の上方に保持し、前記給電装置は前記２本の脚部のいずれかに設けられることを特徴とする、請求項１に記載の乳幼児用ブランコ。
【請求項３】
前記脚部は支持底部と、第一脚部パイプと、第二脚部パイプとを含み、前記支持底部は前記載置平面に当接され、前記第一脚部パイプは前記第一連結部と前記支持底部との間に連結され、前記第二脚部パイプは前記第二連結部と前記支持底部との間に連結され、前記給電装置は前記第一脚部パイプに設けられることを特徴とする、請求項２に記載の乳幼児用ブランコ。
【請求項４】
前記脚部アセンブリは収容空間を含み、前記給電装置は前記収容空間に一部収容されながら、前記脚部アセンブリに固定されることを特徴とする、請求項１に記載の乳幼児用ブランコ。
【請求項５】
前記給電装置の一端は第一係合部を含み、前記脚部アセンブリは前記第一係合部に対応する第二係合部を含み、前記第一係合部は前記第二係合部と係合して前記給電装置を前記収容空間内に固定することを特徴とする、請求項４に記載の乳幼児用ブランコ。
【請求項６】
前記給電装置は電池ホルダーと、電池と、電池ホルダーカバーとを含み、前記電池ホルダーは前記脚部アセンブリの前記収容空間内に設けられ、前記電池は前記電池ホルダー内に設けられ、前記電池ホルダーカバーは前記脚部アセンブリに設けられ、前記電池をカバーすることを特徴とする、請求項４に記載の乳幼児用ブランコ。
【請求項７】
前記給電装置は電池ホルダーと、電池と、電池ホルダーカバーとを含み、前記電池ホルダーは前記脚部アセンブリの前記収容空間内に設けられ、前記第一係合部を含み、前記電池は前記電池ホルダー内に設けられ、前記電池ホルダーカバーは前記脚部アセンブリに設けられ、前記電池をカバーすることを特徴とする、請求項５に記載の乳幼児用ブランコ。
【請求項８】
前記第一係合部は係合突起であり、前記第二係合部は係合孔であることを特徴とする、請求項５に記載の乳幼児用ブランコ。
【請求項９】
前記電池ホルダーカバーは固定部材で前記脚部アセンブリに固定されることを特徴とする、請求項５に記載の乳幼児用ブランコ。
【請求項１０】
前記ホールドフレームは載置部とアームとを含み、前記アームは前記載置部と前記駆動装置との間に連結されることを特徴とする、請求項１に記載の乳幼児用ブランコ。
【請求項１１】
前記載置部は乳幼児用シートであることを特徴とする、請求項１０に記載の乳幼児用ブランコ。
【請求項１２】
前記脚部アセンブリは脚部を含み、前記脚部は前記第一連結部に連結される第一脚部パイプと、前記第二連結部に連結される第二脚部パイプと、前記第一脚部パイプと前記第二脚部パイプとの間に設けられる支持底部とを含み、前記給電装置は前記第一脚部パイプに設けられることを特徴とする、請求項１に記載の乳幼児用ブランコ。
【発明の詳細な説明】
【技術分野】
【０００１】
本発明は乳幼児用ブランコに関し、特に駆動装置と給電装置が分離して設置された乳幼児用ブランコに関する。
【背景技術】
【０００２】
一般の乳幼児用ブランコには、音楽の再生や揺動などの機能を実現するために、給電装置（例えば電池と電池ホルダーの組み合わせなど）が設けられる場合が多い。乳幼児用ブランコに給電装置を設置する際、乳幼児用ブランコを揺らす駆動ハブに給電装置を設置することが一般である。しかし、駆動ハブの中ではモーターなど他の駆動素子が設けられるのが一般であるため、給電装置の設置は別途の収容空間を要するだけでなく、駆動ハブにおいて本来設置された素子の配置もそれによって影響される。したがって、駆動ハブに給電装置を設置すれば、乳幼児用ブランコの全体構造の設計上のフレキシビリティーが損なわれ、乳幼児用ブランコにおいて駆動ハブが占める体積が増え、乳幼児用ブランコの外観設計はそれによって影響される。
【発明の概要】
【発明が解決しようとする課題】
【０００３】
本発明の目的は、前述の問題を解決するために、駆動装置と給電装置が分離して設置された乳幼児用ブランコを提供することにある。
【課題を解決するための手段】
【０００４】
本発明では乳幼児用ブランコを開示する。乳幼児用ブランコは、サポートフレームと、ホールドフレームと、駆動装置と、給電装置とを含む。前記サポートフレームは第一連結部と、第二連結部と、脚部アセンブリとを含む。前記脚部アセンブリの両端は前記第一連結部と前記第二連結部にそれぞれ連結される。前記ホールドフレームは前記第一連結部と前記第二連結部に枢結される。前記駆動装置は前記第一連結部に設けられ、前記サポートフレームに対して揺動するように前記ホールドフレームを駆動する。前記乳幼児用ブランコは、前記給電装置が前記駆動装置と電気的に接続されるように前記脚部アセンブリに設けられ、前記ホールドフレームの駆動に必要な電力を前記駆動装置に提供するのを特徴とする。
【０００５】
前記脚部アセンブリは２本の脚部を含む。前記２本の脚部の両端は前記第一連結部と前記第二連結部にそれぞれ連結され、共同で前記ホールドフレームを載置平面の上方に保持する。前記給電装置は前記２本の脚部のいずれかに設けられる。
【０００６】
前記脚部は支持底部と、第一脚部パイプと、第二脚部パイプとを含む。前記支持底部は前記載置平面に当接される。前記第一脚部パイプは前記第一連結部と前記支持底部との間に連結される。前記第二脚部パイプは前記第二連結部と前記支持底部との間に連結される。前記給電装置は前記第一脚部パイプに設けられる。
【０００７】
前記脚部アセンブリは収容空間を含む。前記給電装置は前記収容空間に一部収容されながら、前記脚部アセンブリに固定される。
【０００８】
前記給電装置の一端は第一係合部を含む。前記脚部アセンブリは前記第一係合部に対応する第二係合部を含む。前記第一係合部は前記第二係合部と係合して前記給電装置を前記収容空間内に固定する。
【０００９】
前記給電装置は電池ホルダーと、電池と、電池ホルダーカバーとを含む。前記電池ホルダーは前記脚部アセンブリの前記収容空間内に設けられる。前記電池は前記電池ホルダー内に設けられる。前記電池ホルダーカバーは前記脚部アセンブリに設けられ、前記電池をカバーする。
【００１０】
前記給電装置は電池ホルダーと、電池と、電池ホルダーカバーとを含む。前記電池ホルダーは前記脚部アセンブリの前記収容空間内に設けられ、前記第一係合部を含む。前記電池は前記電池ホルダー内に設けられる。前記電池ホルダーカバーは前記脚部アセンブリに設けられ、前記電池をカバーする。
【００１１】
前記第一係合部は係合突起であり、前記第二係合部は係合孔である
前記電池ホルダーカバーは固定部材で前記脚部アセンブリに固定される。
【００１２】
前記ホールドフレームは載置部とアームとを含む。前記アームは前記載置部と前記駆動装置との間に連結される。
【００１３】
前記載置部は乳幼児用シートである。
【００１４】
前記脚部アセンブリは脚部を含む。前記脚部は前記第一連結部に連結される第一脚部パイプと、前記第二連結部に連結される第二脚部パイプと、前記第一脚部パイプと前記第二脚部パイプとの間に設けられる支持底部とを含む。前記給電装置は前記第一脚部パイプに設けられる。
【００１５】
以上により、本発明による乳幼児用ブランコは従来の技術に比べて少なくとも以下の特徴と効果を有する。本発明では従来、駆動装置と同じ構造内に設置される給電装置を分離し、乳幼児用ブランコのホールドフレームに枢結される連結部と載置平面に当接される支持底部との間のパイプの中に設けることで、駆動装置を設置するための体積を削減し、乳幼児用ブランコの製作コストを減らし、構造設計上のフレキシビリティを高めるとともに、乳幼児用ブランコの外観設計を多様化させ、給電装置を載置平面から離れたところに保持し、防水・漏電防止の効果を果たす。
【図面の簡単な説明】
【００１６】
【図１】本発明による子供用椅子を表す説明図である。
【図２】実施例１による係合機構の分解図である。
【発明を実施するための形態】
【００１７】
図１に示すように、本発明の一実施例によれば、乳幼児用ブランコ１０はサポートフレーム１２と、ホールドフレーム１４と、駆動装置１６と、給電装置１８とを含む。サポートフレーム１２は第一連結部２０と、第二連結部２２と、脚部アセンブリ２３とを含む。本実施例では脚部アセンブリ２３は２本の脚部２４、２６を含むが、本発明はこれに限らない。換言すれば、他実施例ではＬ字型または人字型の脚部など乳幼児用ブランコによく用いられる構造を、脚部アセンブリ２３として利用することもできる。脚部２４、２６は第一連結部２０と第二連結部２２にそれぞれ連結され、共同でホールドフレーム１４を載置平面２８の上方に保持する。ホールドフレーム１４は第一連結部２０と第二連結部２２に枢結され、載置平面２８から特定の距離を隔てて保持されながらサポートフレーム１２に対して揺動自在に設けられている。ホールドフレーム１４は載置部２９と、載置部に連結されるアーム３１とを含む。本実施例では、載置部２９は望ましくは乳幼児用シート、または乳幼児用シートか乳幼児車用シートを載せるサポートフレームである。もっとも本発明はそれに限らない。駆動装置１６はホールドフレーム１４に連結されるように第一連結部２０に設けられ、ホールドフレーム１４を駆動してサポートフレーム１２に対して揺動させる。駆動装置１６はモーターなど動力を与える一般の装置である。給電装置１８は駆動装置１６と電気的に接続されるように脚部２４に設けられ、ホールドフレーム１４の駆動に必要な電力を駆動装置１６に提供する。
【００１８】
また、図１に示すように、脚部２４は支持底部３０と、第一脚部パイプ３２と、第二脚部パイプ３４とを含む。支持底部３０は載置平面２８に当接され、第一脚部パイプ３２と第二脚部パイプ３４を載置平面２８の上に支持する。第一脚部パイプ３２は第一連結部２０と支持底部３０の間に連結されており、第二脚部パイプ３４は第二連結部２２と支持底部３０の間に連結されている。本実施例では、第一脚部パイプ３２、第二脚部パイプ３４、及び支持底部３０は一体成形で製作され、支持底部３０の両側にはブランコ全体を載置平面２８に安定的に支える足部３３が設けられ、脚部２６の接続方式と構成素子は脚部２４と同じである。給電装置１８は脚部２４の第一脚部パイプ３２に設けられている。図２に示すように、給電装置１８は電池ホルダー３６と、少なくとも１本の電池３８（図２では４本と表示）と、電池ホルダーカバー４０とを含む。電池ホルダー３６は第一脚部パイプ３２に設けられ、その一端には第一係合部４２が設けられている。第一脚部パイプ３２には電池ホルダー３６に対応する収容空間４４と、第一係合部４２に対応する第二係合部４６が設けられている。第一係合部４２は、電池ホルダー３６を第一脚部パイプ３２に固定するために第二係合部４６内に係合される。第一係合部４２と第二係合部４６として、相互に係合できる一般の係合構造を利用することができる。図２に示すように、本実施例による第一係合部４２は望ましくは電池ホルダー３６にある係合突起であり、第二係合部４６は望ましくは第一脚部パイプ３２にある係合孔である。電池３８は電池ホルダー３６内に設置される。本実施例では、電池３８は望ましくはマンガン電池、アルカリ電池、または充電電池のいずれかであり、電池の形式は乳幼児用ブランコ１０の使用上の要求に応じて選ぶことができる。電池ホルダーカバー４０は電池３８をカバーするように第一脚部パイプ３２に設けられている。
【００１９】
ここで給電装置１８と、サポートフレーム１２と、駆動装置１６との組み合わせについて詳述する。まず電池ホルダー３６を第一脚部パイプ３２の収容空間４４内に設置する。その際、電池ホルダー３６の第一係合部４２を第一脚部パイプ３２の中に入れて内側から突出させることで第一脚部パイプ３２の第二係合部４６に係合し、電池ホルダー３６を収容空間４４内に固定する。電池ホルダー３６を第一脚部パイプ３２に固定した後、一般の電気的接続方法で電池ホルダー３６を駆動装置１６に電気的に接続する。例えば、第一脚部パイプ３２内に穿設されたワイヤーで電池ホルダー３６を駆動装置１６に電気的に接続することができる。次に、図２に示す電池３８を電池ホルダー３６の正負極方向に従って装着する。前に述べたように、このとき電池ホルダー３６は駆動装置１６に電気的に接続されているので、電池３８による電力は、電池ホルダー３６と駆動装置１６との電気的接続を介して駆動装置１６に送られ、ホールドフレーム１４の駆動に用いる電力として駆動装置１６に供給される。最後に、電池３８を電池ホルダー３６に装着した後、固定部材で電池ホルダーカバー４０を第一脚部パイプ３２に固定し（例えばネジで螺合する）、電池ホルダー３６内の電池３８をカバーして異物が電池ホルダー３６内に入って短絡や開回路になるのを防ぎ、電池３８を保護する。本発明は以上のように乳幼児用ブランコ１０の個別の素子に給電装置１８と駆動装置１６を分離して設置することで、駆動装置１６を設置するための体積を減らす。また、給電装置１８を第一連結部２０と支持底部３０との間の第一脚部パイプ３２に設けることで、給電装置１８を載置平面２８から離れたところに保持し、防水・漏電防止の効果を果たす。
【００２０】
注意すべきは、乳幼児用ブランコ１０は左右対称の構造を有するので、駆動装置１６と給電装置１８の設置位置は前掲実施例に限らない。例えば、脚部２６が脚部２４と同じ構造を有するので、給電装置１８を脚部２６の第一連結部２０に連結されるパイプの中に設けるか、または駆動装置１６を第二連結部２２に設けることもできる。また、駆動装置１６と給電装置１８の数量は前述に限らない。例えば、乳幼児用ブランコ１０の第一連結部２０と第二連結部２２の両方に駆動装置１６を設け、より安定した駆動力をホールドフレーム１４に与えることもできる。というのは、脚部２４と脚部２６の両方に給電装置１８を設けることが可能である。なお、図２に示すように、電池ホルダー３６の他端にも第一係合部４２と同様な構造を形成し、第一脚部パイプ３２に第二係合部４６と同様な構造を形成することもできる。そうすれば、電池ホルダー３６を第一脚部パイプ３２に設置する際、第一脚部パイプ３２は電池ホルダー３６の両端をそれぞれ係合するので、電池ホルダー３６は第一脚部パイプ３２の収容空間４４内に安定的に設置されることができる。
【００２１】
以上の実施例に示すように、本発明による乳幼児用ブランコは従来の技術に比べて少なくとも以下の特徴と効果を有する。本発明では従来、駆動装置と同じ構造内に設置される給電装置を分離し、乳幼児用ブランコのホールドフレームに枢結される連結部と載置平面に当接される支持底部との間のパイプの中に設けることで、駆動装置を設置するための体積を削減し、乳幼児用ブランコの製作コストを減らし、構造設計上のフレキシビリティを高めるとともに、乳幼児用ブランコの外観設計を多様化させ、給電装置を載置平面から離れたところに保持し、防水・漏電防止の効果を果たす。
【００２２】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００２３】
１０        乳幼児用ブランコ
１２        サポートフレーム
１４        ホールドフレーム
１６        駆動装置
１８        給電装置
２０        第一連結部
２２        第二連結部
２３        脚部アセンブリ
２４、２６  脚部
２８        載置平面
２９        載置部
３０        支持底部
３１        アーム
３２        第一パイプ
３３        足部
３４        第二パイプ
３６        電池ホルダー
３８        電池
４０        電池ホルダーカバー
４２        第一係合部
４４        収容空間
４６        第二係合部
【図１】
2010063890.tif 000003
【図２】
2010063890.tif 000004